(57)【要約】【課題】ガスバーナの炎と本体ケーシングとの距離を作り出し、ガスバーナの炎が本体ケーシングにこもらずに熱盤を利用できる携帯ガスコンロを提供する。【解決手段】本体ケーシング内に、ガスバーナを収容するバーナ収容部と、カセットガスボンベを収容してガスバーナにガスを供給するようにしたボンベ収用部とを設けた携帯ガスコンロであって、略円形の前記ガスバーナの周縁部外方に設けられた汁受け皿に設置された複数の五徳が、その上部に前記略円形の径方向にスライドするスライド部を有する【選択図】    図３
2005024151.tif 000002
【特許請求の範囲】
【請求項１】
本体ケーシング内に、ガスバーナを収容するバーナ収容部と、カセットガスボンベを収容してガスバーナにガスを供給するようにしたボンベ収用部とを設けた携帯ガスコンロであって、
略円形の前記ガスバーナの周縁部外方に設けられた汁受け皿に設置された複数の五徳が、その上部に前記略円形の径方向にスライドするスライド部を有することを特徴とする携帯ガスコンロ。
【請求項２】
本体ケーシング内に、ガスバーナを収容するバーナ収用部と、カセットボンベを収容してガスバーナにガスを供給するようにしたボンベ収用部とを設けた携帯ガスコンロであって、
略円形の前記ガスバーナの周縁部外方に設けられた汁受け皿と、前記本体ケーシング間に、前記汁受け皿及びガスバーナを前記本体ケーシングより垂直方向に持ち上げるよう動作する支持部を設けたことを特徴とする携帯ガスコンロ。
【請求項３】
本体ケーシング内に、ガスバーナを収容するバーナ収用部と、カセットガスボンベを収容してガスバーナにガスを供給するようにしたボンベ収用部を設けた携帯ガスコンロであって、
略円形型の前記ガスバーナの周縁部外方に設けられた汁受け皿に設置された複数の五徳が、その上部に前記略円形の径方向にスライドするスライド部を有し、さらに前記汁受け皿と、前記本体ケーシング間に前記汁受け皿及び前記ガスバーナを、前記本体ケーシングより垂直方向に持ち上げるよう動作する支持部を設けたことを特徴とする携帯ガスコンロ。
【請求項４】
前記ガスバーナがスライド弁をさらに有する請求項１乃至３のいずれかに記載の携帯ガスコンロ。
【請求項５】
前記ガスバーナが内周部及び外周部との二重構造となっている請求項１乃至４のいずれかに記載の携帯ガスコンロ。
【発明の詳細な説明】
【０００１】
【発明の属する技術分野】
本発明は、鉄板等の底面積の広い熱盤の利用に対応できる携帯ガスコンロに関する。
【０００２】
【従来の技術】
従来のカセットガスボンベ用ガスコンロ（携帯ガスコンロ）では、ガスバーナでの燃焼熱がガスボンベに無制限に影響すると、カセットガスボンベは小容量で簡易なものであるため過熱状態となって異常燃焼や爆発の原因となる。そこで、ガスバーナと、ガス供給部に収容するカセットガスボンベとが所定距離だけ離れるようにしたり、バーナ収用部（燃焼部）とボンベ収用部とを隔壁によって適度に仕切ったりすることにより、カセットガスボンベをガスバーナでの燃焼熱から保護するのが基本思想となっている。
【０００３】
このため特許文献１では、上向きに湾曲した焼肉用鉄板と、環状のガスバーナとを、巧みな通気を図って組合わせ使用する焼肉用ガスコンロを提供している。
【０００４】
【特許文献１】
特開平６−２８４９７９号公報
【０００５】
【発明が解決しようとする課題】
ところで、最近のアウトドア志向の高まりにより、鉄板等の大きな熱盤についても利用を期待する声がある。
【０００６】
しかしながら前述のように、従来のカセット用ガスコンロではボンベ収容部にまで跨るほどの面積をもつ熱盤の場合には、コンロ本体（本体ケーシング）に熱がこもってしまうために、ガスボンベの爆発といった危険がある。
【０００７】
特許文献１に記載の焼肉用ガスコンロでは、焼肉用鉄板と焼肉用ガスコンロを組み合わせて使用するためのものであり、ガス収用部にまで跨るほどの面積をもつ熱盤について対応しているものではない。
【０００８】
本発明は上述の事情よりなされたものであり、本発明の目的は、ガスバーナの炎と本体ケーシングとの距離を作り出し、ガスバーナの炎が本体ケーシングにこもらずに熱盤を利用できる携帯ガスコンロを提供する。
【０００９】
【課題を解決するための手段】
本発明は、鉄板等の底面積の広い熱盤の利用に対応できる携帯ガスコンロに関し、本発明の目的は、ガスバーナを収容するバーナ収容部と、カセットガスボンベを収容してガスバーナにガスを供給するようにしたボンベ収用部とを設けた携帯ガスコンロであって、略円形の前記ガスバーナの周縁部外方に設けられた汁受け皿に設置された複数の五徳が、その上部に前記略円形の径方向にスライドするスライド部を有することによって達成される。
【００１０】
また、本発明の目的は、本体ケーシング内に、ガスバーナを収容するバーナ収用部と、カセットボンベを収容してガスバーナにガスを供給するようにしたボンベ収用部とを設けた携帯ガスコンロであって、略円形の前記ガスバーナの周縁部外方に設けられた汁受け皿と、前記本体ケーシング間に、前記汁受け皿及びガスバーナを前記本体ケーシングより垂直方向に持ち上げるよう動作する支持部を設けたことによって達成される。
【００１１】
また、本発明の目的は、本体ケーシング内に、ガスバーナを収容するバーナ収用部と、カセットガスボンベを収容してガスバーナにガスを供給するようにしたボンベ収用部を設けた携帯ガスコンロであって、略円形型の前記ガスバーナの周縁部外方に設けられた汁受け皿に設置された複数の五徳が、その上部に前記略円形の径方向にスライドするスライド部を有し、さらに前記汁受け皿と、前記本体ケーシング間に前記汁受け皿及び前記ガスバーナを、前記本体ケーシングより垂直方向に持ち上げるよう動作する支持部を設けたことによって達成される。
【００１２】
また、本発明の目的は、前記ガスバーナがスライド弁をさらに有することにより、或は前記ガスバーナが内周部及び外周部との二重構造となっていることによって、より効果的に達成される。
【００１３】
【発明の実施の形態】
本発明は、鉄板等の表面積の広い熱盤を利用するために、本体ケーシングとガスバーナとを離して利用できる携帯ガスコンロを提供する。
【００１４】
以下、図面を用いて説明する。
【００１５】
図１、図２はそれぞれ本発明に係る携帯ガスコンロの上方図及び側面図である。
【００１６】
携帯用コンロ１（本体ケーシング）は、隔壁２により、燃焼部１ａと、ボンベ収用部１ｂとに二分されて構成されており、底面には脚部１３が設けられている。調理面を上部に有する燃焼部１ａは、中心上部に略円形型のバーナ部５を露出させ、略円形型のバーナ部５の周縁部外方に汁受け部３が設けられており、汁受け部３上には加熱する容器を指示する五徳４が、方形に形成された燃焼部１ａの周枠近傍にバーナ部５を中心として相対的な位置関係で一対として取り付けられている。また、バーナ部に着火する着火部６がバーナ部５に近接して設けられ、前面には後述するガスを分岐するための選択つまみ１１が設けられている。
【００１７】
また、調理面を本体ケーシングから引き離すための支持部１２が本体ケーシングと汁受け部３とに両端が接続され、折りたたまれた状態で燃焼部１ａ内に格納されている。
【００１８】
ガスボンベ収容部１ｂは、ガスを供給するガスボンベ７を内包し、ガスボンベ収用部１ｂの前面にガスの流入量を調節するつまみ８と、ガスボンベ７の着脱に用いられるボンベ着脱つまみ１０とを有し、つまみ８の動作に基づいてガスの流入量を調節するガス流入量調節部９がガスボンベ７およびガス供給管５ｂと接続された構成を持つ。
【００１９】
なお、五徳４は、その上部に略円形のバーナ部５の径方向にスライドするスライド部４ａを有し、バーナ部５は、ボンベ収用部１ｂのガス流入量調節部９とバーナ部下部のガス供給管５ａ，５ｂとで接続されている。
【００２０】
通常利用する場合には、ボンベ７をセットし、つまみ８を用いて着火部６を動作させ、さらにガス供給量を調節することによりガス供給管５ａ、５ｂを通してバーナ部５にガスが供給されて点火される。これにより、五徳４に載置された容器に熱が伝導される。
【００２１】
図３は、プレート等の表面積の広い熱盤を利用した場合の側面図である。
【００２２】
鉄板等の表面積の広い熱盤１４を利用する場合、ボンベ収用部１ｂにまで熱盤１４が張出してしまうために、ボンベ７に熱がこもってしまい爆発する危険がある。このため、熱がこもらないように支持部１２を利用して熱盤１２とボンベ収用部１ｂとの距離を作る。またその際に五徳４に載置された熱盤１２を安定させるために、五徳４の上部に設けられたスライド部４ａをスライドさせて熱盤１４と五徳４間の接地点を広げる。構造上の簡便さや、ガスバーナの燃焼の観点から図３において矢印で示したように、略円周形のバーナ部５の径方向にスライドさせるのが望ましい。
【００２３】
熱盤１２とボンベ収用部１ｂとの距離を作るためには、図２において燃焼部１ａ内に格納されている支持部１２を延伸させて固定する事により、汁受け部３とバーナ部５とをコンロ設置面から垂直上方へと持ち上げる。もちろんバーナ部５が上方へと持ち上げられるために、バーナ部５へとガスを供給するガス供給管５ｂも延伸する必要がある。そのためガス供給管５ｂは、伸縮自在でありかつその接続部は気密に保たれている。これによりガスボンベ７からバーナ部５へのガス供給は、支持部１２の延伸または格納の状態に関わらずに正常に供給される。
【００２４】
なお、支持部１１は伸縮可能であって、伸ばした状態で固定できる形状かつ方法であれば、その伸縮方法及び固定方法は限定しない。
【００２５】
しかしながら、従来のバーナでは熱盤の表面積が広いために熱盤全体に熱が行き渡らない場合がある。
【００２６】
図４では、表面積が広い熱盤を利用する場合に利用されるガスバーナの斜視図である。
【００２７】
広範囲に火力を供給するために、ガスバーナ５を内円部１５と外円部１６との二重構成にしている。これにより表面積の広い熱盤であっても適度な熱量を得る事ができる。
【００２８】
もちろん、通常の鍋等を利用する場合であればガスの節約の観点から、内円部１５または外円部１６のどちらを利用するかを選択できるように選択つまみ１１等が設けられていればなお良い。この場合には、ガス供給管５ａ内部にガスの流入を分岐させる分岐部１１ａを設け、この選択つまみと同期させることによって内円部１５および／または外円部１６の利用の選択を制御する。
【００２９】
【発明の効果】
以上のように、本発明に係る携帯コンロによれば、鉄板等の表面積が広く携帯コンロに用いる際にボンベ収用部にまでかかってしまうような物を使用する場合でも、支持部を用いてボンベ収用部と距離をとることにより熱がこもってしまうのを防ぐことができる。
【００３０】
またさらに、ガスバーナ部を内円部と外円部との二重構造にすることで、表面積の広い熱盤の全体を均一に加熱できる。
【００３１】
なお、通常の鍋やフライパン等と利用する場合や持ち運ぶ際には、支持部を燃焼部に収納することができるため、携帯性を損なうことなく上記目的を達成できる。
【図面の簡単な説明】
【図１】本発明に係る携帯コンロの上方図である。
【図２】本発明に係る携帯コンロの側方図である。
【図３】本発明に係る携帯コンロの熱盤使用時の側方図である。
【図４】本発明に係る携帯コンロの二重構造のバーナ部の斜視図である。
【符号の説明】
１          携帯コンロ
１ａ        燃焼部
１ｂ        ボンベ収用部
２          隔壁
３          汁受け部
４          五徳
５          バーナ部
５ａ，５ｂ  ガス供給管
６          着火部
７          ガスボンベ
８          つまみ
９          ガス流入量調節部
１０        ボンベ着脱つまみ
１１        選択つまみ
１１ａ      ガス分岐部
１２        支持部
１３        脚部
１４        熱盤
１５        内円部
１６        外円部
【図１】
2005024151.tif 000003
【図２】
2005024151.tif 000004
【図３】
2005024151.tif 000005
【図４】
2005024151.tif 000006